(57)【要約】【課題】ダンプトラックの荷台シートが荷台の側板よりも外側に張り出している開放状態を通報する荷台シート開放警報装置を提供する。【解決手段】ダンプトラックの荷台の側板に取り付けられる荷台シートの側板外側への張り出しを検知する荷台シート開放警報装置は、荷台シートの所定の回転範囲を特定するための特定用部材と、特定用部材との距離が所定長さ以内であることを検知する近接スイッチと、近接スイッチの出力に応じて、荷台シートの側板外側への張り出しを通報する警報ユニットとを備える。【選択図】図３
2020066324.tif 000002
【特許請求の範囲】
【請求項１】
ダンプトラックの荷台の側板に取り付けられる荷台シートの側板外側への張り出しを検知する荷台シート開放警報装置であって、
前記荷台シートの所定の回転範囲を特定するための特定用部材と、
前記特定用部材との距離が所定長さ以内であることを検知する近接スイッチと、
前記近接スイッチの出力に応じて、前記荷台シートの側板外側への張り出しを通報する警報ユニットとを備えることを特徴とする荷台シート開放警報装置。
【請求項２】
前記荷台シートの回転軸は、当該回転軸を回転させるモータと同軸に連結し、前記荷台シートの回転軸端部のフランジ部と、当該モータの出力軸端部のフランジ部とが同軸に合わさっての連結部分を構成し、前記特定用部材は、当該連結部分の全周のうちの一部周面にわたって取り付けられることを特徴とする請求項１に記載の荷台シート開放警報装置。
【請求項３】
前記所定の回転範囲は、前記荷台シートが側板外側に張り出す範囲に対応する範囲であることを特徴とする請求項２に記載の荷台シート開放警報装置。
【請求項４】
前記特定用部材は金属板であることを特徴とする請求項１乃至３のいずれかに記載の荷台シート開放警報装置。
【請求項５】
前記金属板は断面Ｌ字形状に形成されることを特徴とする請求項４に記載の荷台シート開放警報装置。
【請求項６】
前記警報ユニットは、前記近接スイッチの出力応じて音声を出力する音声出力部及び前記近接スイッチの出力応じて点灯する点灯部を備えることを特徴とする請求項１乃至５のいずれかに記載の荷台シート開放警報装置。
【発明の詳細な説明】
【技術分野】
【０００１】
本発明は、ダンプトラックの荷台シートが荷台の側板よりも外側に張り出している開放状態を通報する荷台シート開放警報装置に関する。
【背景技術】
【０００２】
ダンプトラックの荷台の側板上縁部には、荷台シートが取り付けられている。荷台シートは側板の前後方向を軸方向として、側板の外側に張り出して側板の外面に沿った開き位置と、荷台の内側に傾き荷台の開放上面を覆う閉じ位置との間で回転可能に支持される。この荷台シートは、運転席近辺に据え付けられた操作スイッチによりモータで開閉駆動されうる。荷台シートを閉じ位置に保持しておけば車両走行時に荷台内の積載土砂等が落下するのを効果的に防止することができ、また開き位置に保持しておけば、荷台内に土砂等を積み込む際に該荷台シートが作業の邪魔になるのを回避することができる（特許文献１、２）。
【先行技術文献】
【特許文献】
【０００３】
【特許文献１】特開平７−１０８８７０号公報
【特許文献２】特開２０１７−２１４００１号公報
【発明の概要】
【発明が解決しようとする課題】
【０００４】
荷台シートの回転動作の際、例えば荷台シートが砂利などの障害物を噛み込んだりする場合など荷台シートの回転が阻害される状況が発生すると、モータの焼付き防止のためモータの電流が強制的に遮断され、荷台シートが正規の閉じ位置まで回転せずに停止するおそれがある。開き状態から閉動作の途中で荷台シートが回転停止する場合、運転席で操作スイッチにより閉動作のためのスイッチを操作した運転者は、正規の閉じ位置まで荷台シートが到達したかを確認することができない。逆の動作も同様にである。特に、荷台シートが側板の外側に張り出した状態（開放状態）で回転停止した場合は、荷台シートが車幅より拡がった状態になり、その状態でダンプトラックが走行した場合不測の事態を招くおそれもある。
【０００５】
そこで、本発明の目的は、ダンプトラックの荷台シートが開放状態であることを検知し警報を発することができる荷台シート開放警報装置を提供することにある。
【課題を解決するための手段】
【０００６】
上記目的を達成するための本発明の荷台シート開放警報装置は、ダンプトラックの荷台の側板に取り付けられる荷台シートの側板外側への張り出しを検知する荷台シート開放警報装置であって、荷台シートの所定の回転範囲を特定するための特定用部材と、特定用部材との距離が所定長さ以内であることを検知する近接スイッチと、近接スイッチの出力に応じて、荷台シートの側板外側への張り出しを通報する警報ユニットとを備えることを特徴とする。
【０００７】
好ましくは、荷台シートの回転軸は、当該回転軸を回転させるモータと同軸に連結し、荷台シートの回転軸端部のフランジ部と、当該モータの出力軸端部のフランジ部とが同軸に合わさっての連結部分を構成し、特定用部材は、当該連結部分の全周のうちの一部周面にわたって取り付けられる。所定の回転範囲は、荷台シートが側板外側に張り出す範囲に対応し、特定用部材は例えば金属板である。また、警報ユニットは、好ましくは、近接スイッチの出力に応じて音声を出力する音声出力部及び近接スイッチの出力に応じて点灯する点灯部を備える。
【発明の効果】
【０００８】
本発明によれば、ダンプトラックの荷台シートが側板の外側に張り出している開放状態であることを検知し警報を発することができる。ダンプトラックの運転者がその状態に気づかずに走行することを未然に防止することで、ダンプトラックの安全走行が確保される。
【図面の簡単な説明】
【０００９】
【図１】本発明の荷台シート開放警報装置を搭載したダンプトラックを示す図である。
【図２】荷台シートの回転を説明する図である。
【図３】本発明の荷台シート開放警報装置における荷台シートの回転範囲を検知する構成を示す図である。
【図４】連結部分３０に取り付けられる金属板３１及びその近傍に配置される近接スイッチ３２の図３に対応する実際の構成例を示す写真である。
【図５】連結部分３０に取り付けられる金属板３１の別の構成例を示す図である。
【図６】近接スイッチ３２の検知信号ＯＮ／ＯＦＦタイミングを示す図である。
【図７】本発明の荷台シート開放警報装置における警報部の概略的な内部構成及び外観構成例を示す図である。
【発明を実施するための形態】
【００１０】
以下、図面を参照して本発明の実施の形態について説明する。しかしながら、かかる実施の形態例が、本発明の技術的範囲を限定するものではない。
【００１１】
図１は、本発明の荷台シート開放警報装置を搭載したダンプトラックを示す図であり、ダンプトラックの側面を表す。荷台シート開放警報装置は、後述する特定用部材（金属板）３１、近接スイッチ３２及び警報ユニット４０を備えて構成される。図１において、ダンプトラックの車体フレーム１には荷台２が傾動可能に軸支されており、この荷台２と車体フレーム１間には、荷台２を後方へ傾動させる既知の駆動機構（図示せず）が設けられる。また、荷台２の左右にある側板３の各上縁部には、荷台２の開放上面の左右両外側部をそれぞれ被覆し得る左右一対の荷台シート１０がそれぞれ取付けられる。この荷台シート１０は、布等のシート素材１１と、このシート素材１１を所定の長方形状に保持する方形枠状のシート枠１２とにより構成される。シート枠１２の１辺を形成する軸部１２ａは、左右の側板３の各上縁部に前後方向に沿って延びて取り付けられ、左右の側板３の各上縁部に前後両側に設けられる軸受１３によって回転自在に支持される。
【００１２】
図２は、荷台シート１０の回転を説明する図である。シート枠１２の軸部１２ａには、荷台２の前側端部に取り付けられた電動モータ２０の出力軸が同軸に連結される。モータ２０を正方向へ回転駆動すると、荷台シート１０を、側板３の外側で側板３の上縁部から外面に沿って鉛直下方に垂下した方向に延びる開き位置（Ａ）から、側面３の上縁部から水平外向きに延びる中間水平位置（Ｂ）と、側面３の上縁部より鉛直上方に起立する中間起立位置（Ｃ）を経て、側板３の内側で側板３の上縁部から水平内向きに延びる閉じ位置（Ｄ）まで閉駆動させることができ、反対に、電動モータ２０を逆方向へ回転駆動すると、上記の逆方向に荷台シート１０を開駆動させることができる。
【００１３】
図３は、本発明の荷台シート開放警報装置における荷台シートの回転範囲を検知する構成を示す図であり、図３（ａ）は側面から見た概略構成図、図３（ｂ）は正面から見た概略構成図である。左右の荷台シート１０に対してそれぞれ設けられる。シート枠１２の軸部１２ａは、荷台２の前側端部に取付けたモータ２０の出力軸と同軸に連結されており、より具体的には、シート枠１２の軸部１２ａの前端フランジ部１２ｂと、モータ２０の出力軸２０ａの先端フランジ部２０ｂとが同軸に合わさって連結部分３０を構成している。両フランジ部が円盤状であれば連結部分３０も円盤状となり、周面が形成される。この連結部分３０の周面に沿って扇型状に形成された金属板３１が、連結部分３０の全周のうちの一部周面にわたって取り付けられる。金属板３１は、後述する近接スイッチ３２により近接するように連結部分３０の径よりも大きい径を有するように形成され、連結部分３０のフランジ同士を連結させるボルト３３を利用して、連結部分３０に対して固定された位置に取り付けられる。金属板３１は、連結部分３０の全周のうちの一部周面を近接スイッチ３２に検知させるため、すなわち荷台シートの回転範囲を特定するため特定用部材であり、ステンレス板など各種金属材料を採用可能であり、また、金属板に限らず、近接スイッチ３２により荷台シート１０の回転範囲を特定可能とする種々の形状、構造、材料を採用しうる。
【００１４】
さらに、連結部分３０の近傍には、近接スイッチ３２が配置される。近接スイッチ３２は、近傍の物体を非接触で検知するセンサであり、誘導型近接スイッチ、静電容量型近接スイッチ、超音波型近接スイッチ、光電型近接スイッチなど既知のスイッチを用いることができる。近接スイッチ３２は、荷台２ではないダンプトラックの車体部分（例えばサイドパネル）に固定して取り付けられ、荷台シート１０の回転に伴う連結部分３０の回転に応じて、金属板３１との距離が所定長さ以内に近接した場合に検知信号を出力する。
【００１５】
図４は、連結部分３０に取り付けられる金属板３１及びその近傍に配置される近接スイッチ３２の図３に対応する実際の構成例を示す写真である。
【００１６】
図５は、連結部分３０に取り付けられた金属板３１の別の構成例を示す図である。金属板３１を断面Ｌ字形状として、好ましくはＬ字の折れ曲がり部分（周面方向に幅を有する部分）が連結部分３０の周面から突出するように配置される。近接スイッチ３２との距離を連結部分３０の周面に対して異ならせることができる。図５に示す金属板３１は、図３の構成と比較して、金属板３１を肉薄にできるとともに、近接スイッチ３２の検知のための幅を確保することができ、コストも有利である。
【００１７】
図６は、近接スイッチ３２の検知信号ＯＮ／ＯＦＦタイミングを示す図である。近接スイッチ３２が金属板３１の接近を検知する範囲は、荷台シート１０が図２における開き位置（Ａ）から中間水平位置（Ｂ）を経て中間起立位置（Ｃ）までの範囲であり、これは荷台シート１０が側板３より外側に張り出している状態（開放状態）である。荷台シート１０がこの範囲に位置する場合に近接スイッチ３２が検知信号を出力するように、金属板３１と近接スイッチ３２の取り付け位置が調整される。
【００１８】
図７は、本発明の荷台シート開放警報装置における警報ユニット４０の構成を示す図であり、図７（ａ）はその内部構成及び図７（ｂ）はその外観構成例を示す図である。警報ユニット４０は、ダンプトラックの運転手が視認可能にダンプトラックの運転席の近傍に配置される。警報ユニット４０には、近接スイッチ３２の検知信号が入力される。
【００１９】
警報ユニット４０は、近接スイッチ３２と配線により接続し、近接スイッチ３２からの検知信号が入力されると、音声出力部４１による音声出力及び点灯部（左側点灯部及び右側点灯部）４２によるランプ点灯が行われ、荷台シート１０の位置に対する警報が出力される。すなわち、荷台シート１０が、図２における開き位置Ａから中間水平位置Ｂを経て中間起立位置Ｃまでの範囲に位置する間は、警報が出力されることになる。図７の構成例では、点灯による警報は、左右識別可能に点灯し、音声による警報は、左右の少なくとも一方が開放状態において出力される。
【００２０】
このように、荷台シート１０が左右それぞれの側板３より外側に張り出した位置にある場合に警報が出力される構成とすることにより、運転者は、荷台シート１０が側板３より内側に閉じているかどうかを運転席にて確認することができる。運転者の遠隔操作による荷台シート１０の閉動作の途中に荷台シート１０の回転が停止した場合であっても、荷台シート１０が側板３より外側に張り出していることを検知し、警報が出力される。運転者は、再度の閉動作のための操作を行うなど対処可能となり、安全性が担保される。
【００２１】
本発明は、上記実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００２２】
１：車体フレーム、２：荷台、３：側板、１０：荷台シート、１１：シート素材、１２：シート枠、２０：モータ、３０：連結部分、３１：金属板、３２：近接スイッチ、４０：警報ユニット
【図１】
2020066324.tif 000003
【図２】
2020066324.tif 000004
【図３】
2020066324.tif 000005
【図４】
2020066324.tif 000006
【図５】
2020066324.tif 000007
【図６】
2020066324.tif 000008
【図７】
2020066324.tif 000009
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
ダンプトラックの荷台の側板に取り付けられる荷台シートの側板外側への張り出しを検知する荷台シート開放警報装置であって、
前記荷台シートの所定の回転範囲を特定するための特定用部材と、
前記特定用部材との距離が所定長さ以内であることを検知する近接スイッチと、
前記近接スイッチの出力に応じて、前記荷台シートの側板外側への張り出しを通報する警報ユニットとを備え、
前記荷台シートの回転軸は、当該回転軸を回転させるモータと同軸に連結し、前記荷台シートの回転軸端部のフランジ部と、当該モータの出力軸端部のフランジ部とが同軸に合わさっての連結部分を構成し、前記特定用部材は、当該連結部分の全周のうちの一部周面にわたって取り付けられ、
前記所定の回転範囲は、前記荷台シートが側板外側に張り出す範囲に対応する範囲であることを特徴とする荷台シート開放警報装置。
【請求項２】
前記特定用部材は金属板であることを特徴とする請求項１に記載の荷台シート開放警報装置。
【請求項３】
前記金属板は断面Ｌ字形状に形成されることを特徴とする請求項２に記載の荷台シート開放警報装置。
【請求項４】
前記警報ユニットは、前記近接スイッチの出力に応じて音声を出力する音声出力部及び前記近接スイッチの出力に応じて点灯する点灯部を備えることを特徴とする請求項１乃至３のいずれかに記載の荷台シート開放警報装置。
【手続補正２】
【補正対象書類名】明細書
【補正対象項目名】０００６
【補正方法】変更
【補正の内容】
【０００６】
上記目的を達成するための本発明の荷台シート開放警報装置は、ダンプトラックの荷台の側板に取り付けられる荷台シートの側板外側への張り出しを検知する荷台シート開放警報装置であって、荷台シートの所定の回転範囲を特定するための特定用部材と、特定用部材との距離が所定長さ以内であることを検知する近接スイッチと、近接スイッチの出力に応じて、荷台シートの側板外側への張り出しを通報する警報ユニットとを備え、荷台シートの回転軸は、当該回転軸を回転させるモータと同軸に連結し、荷台シートの回転軸端部のフランジ部と、当該モータの出力軸端部のフランジ部とが同軸に合わさっての連結部分を構成し、特定用部材は、当該連結部分の全周のうちの一部周面にわたって取り付けられ、所定の回転範囲は、荷台シートが側板外側に張り出す範囲に対応する範囲であることを特徴とする。
【手続補正３】
【補正対象書類名】明細書
【補正対象項目名】０００７
【補正方法】変更
【補正の内容】
【０００７】
好ましくは、特定用部材は例えば金属板である。また、警報ユニットは、好ましくは、近接スイッチの出力に応じて音声を出力する音声出力部及び近接スイッチの出力に応じて点灯する点灯部を備える。